(57)【要約】  舌圧の低下した認知症の高齢者であっても、介護者等の手を借りることなく訓練可能な嚥下機能訓練具を提供する。  本発明の嚥下機能訓練具１００は、飲料容器４の吸い口からなり、軟質樹脂により形成され、前端１８が前方へ湾出する凸湾曲面により塞がれた有蓋筒状をなすとともに前端１８に飲料を送出する送出孔１１を有して少なくとも前端側の一部が被訓練者の口蓋窩Ｋに収容される口腔内挿入部１０と、口腔内挿入部１０の後端に連続するとともに後方に向かって横断面が徐々に拡がる筒状に設けられる基部２０とを備え、口腔内挿入部１０は、厚みが最小となる方向を上下方向として、上面、及び下面の横断面が凸湾曲線をなしている。
2018047509.tif 000002
【特許請求の範囲】
【請求項１】
軟質樹脂からなり、飲料容器の吸い口からなる嚥下機能訓練具であって、
前端が前方へ湾出する凸湾曲面により塞がれた有蓋筒状をなすとともに前端に飲料を送出する送出孔を有して少なくとも前端側の一部が被訓練者の口蓋窩に収容される口腔内挿入部と、
前記口腔内挿入部の後端に連続するとともに後方に向かって横断面が徐々に拡がる筒状に設けられる基部とを備え、
前記口腔内挿入部は、厚みが最小となる方向を上下方向として、上面、及び下面の横断面が凸湾曲線をなすことを特徴とする嚥下機能訓練具。
【請求項２】
前記口腔内挿入部は、前後方向、及び上下方向に垂直な方向の幅が前端から後方に向けて初めて２７ｍｍ以上となる部分より前端側の部分からなるとともに、前後方向の長さが４０ｍｍ以上であり、前端から１０ｍｍ以上４０ｍｍ以下の領域の全域に亘って前記幅が１０ｍｍ以上２７ｍｍ未満である請求項１に記載の嚥下機能訓練具。
【請求項３】
前記口腔内挿入部は、前後方向の長さが６０ｍｍ以下である請求項２に記載の嚥下機能訓練具。
【請求項４】
前記口腔内挿入部は、上下方向の厚みが、幅より小さい請求項１から請求項３のいずれか１項に記載の嚥下機能訓練具。
【請求項５】
前記口腔内挿入部は、前端から１０ｍｍ以上４０ｍｍ以下の領域の全域に亘って厚みが５ｍｍ以上２０ｍｍ以下である請求項４に記載の嚥下機能訓練具。
【請求項６】
前記口腔内挿入部の先端部の側面視断面における上面側の曲率が下面側の曲率より大きい請求項４、又は請求項５に記載の嚥下機能訓練具。
【請求項７】
前記口腔内挿入部の前記基部との境界側における上面側と下面側に幅方向に延びる凹部からなるくびれ部を備える請求項１から請求項６のいずれか１項に記載の嚥下機能訓練具。
【請求項８】
請求項１から請求項７に記載の嚥下機能訓練具と、
飲料を貯留するための飲料容器と
を備え、
前記飲料容器は、飲料容器本体と、前記飲料容器本体を前記嚥下機能訓練具に連結する袋ナット状のキャップとを有し、
前記飲料容器本体は、円板状の蓋板部、前記蓋板部から前方へ延出する扁平円筒状の雄ねじ部、及び前記蓋板部から後方へ延出する筒状のハンドルとを含み、
前記キャップは、前記雄ねじ部に螺合する扁平円筒状の雌ねじ部を含み、
前記蓋板部を前記嚥下機能訓練具の後端縁に当接した状態で前記キャップを前記飲料容器本体に螺合して前記飲料容器を前記嚥下機能訓練具に連結する嚥下機能訓練キット。
【請求項９】
高齢者が嚥下機能を鍛える嚥下機能訓練方法であって、
軟質性樹脂からなり、前端が前方へ湾出する凸湾曲面により塞がれた有蓋筒状をなすとともに前端に飲料を送出する送出孔を有する口腔内挿入部と、前記口腔内挿入部の後端に連続するとともに後方に向かって横断面が徐々に拡がる筒状に設けられる基部とを有する吸い口からなる嚥下機能訓練具を飲料容器に取り付け、
前記口腔内挿入部の前端の少なくとも一部を口蓋窩に収容するように、かつ前記送出孔が軟口蓋に達しない程度に前記口腔内挿入部をくわえ、
前記嚥下機能訓練具から飲料を飲むことにより嚥下機能を鍛える嚥下機能訓練方法。
【請求項１０】
前記口腔内挿入部は、厚みが最小となる方向を上下方向として、上下方向の厚みが、前記領域の全域に亘って幅より小さい嚥下機能訓練具を用いる請求項９に記載の嚥下機能訓練方法。
【請求項１１】
前記口腔内挿入部の先端部の側面視断面における上面側の曲率が下面側の曲率より大きい嚥下機能訓練具を用いる請求項１０に記載の嚥下機能訓練具。
【請求項１２】
前記口腔内挿入部の前記基部との境界側における上面側と下面側に幅方向に延びる凹部からなるくびれ部を備える嚥下機能訓練具を用いる請求項９から請求項１１のいずれか１項に記載の嚥下機能訓練方法。
【発明の詳細な説明】
【技術分野】
【０００１】
この発明は、高齢者の誤嚥性肺炎の防止を目的として、その嚥下機能を鍛える訓練具に関し、特に、飲料容器から飲料を摂取することにより嚥下機能を鍛える吸い口型の嚥下機能訓練具に関する。
【背景技術】
【０００２】
誤嚥性肺炎は、気管を開閉する喉頭蓋という器官が、食物を飲み込む際に正常に気管を閉塞せず、食物と共に菌が気管に侵入することにより発症する。この喉頭蓋は舌の奥にあり、舌を口蓋に押し付けて舌の根元に圧力が加わると喉頭蓋が倒れて気管を閉塞する。高齢者では、この舌で口蓋を押し上げる舌圧が加齢とともに低下するため、喉頭蓋が正常に機能しなくなるものである。【０００３】
そのため、従来、舌やその周辺を鍛えるための取り組みが各種行なわれており、例えば、老人ホーム等の施設では、高齢者の舌圧を高めるために、嚥下体操や口腔体操と呼ばれる頬や口、舌等を動かす体操が実施されている。【０００４】
また、嚥下を促すために、軟口蓋や舌根部、咽頭後壁などの嚥下反射誘発部位に刺激を与える方法も広く行われており、特許文献１では、嚥下反射誘発部位に刺激を与えるためのリハビリ用具が提案されている。特許文献１の訓練具では、高齢者自身が訓練しやすいように、また、嚥下反射誘発部位に過度の刺激を与えないように工夫がなされている。【０００５】
また、特許文献２には、口腔内に挿入する弾性部材からなるバルーンを備えた嚥下機能回復用のリハビリ用具が提案されている。特許文献２のリハビリ用具は、高齢者自身が舌と口蓋の間にバルーンを挿入して舌でバルーンを押し付ける訓練を行うものである。【０００６】
ところが、上記の体操やリハビリ用具による訓練は、誤嚥性肺炎を防止しようという意欲が持てる程度の健常者にとっては効果的であるが、かかる意欲の持てない認知症の進んだ高齢者等に実施させるのは難しいという問題がある。【０００７】
そこで、本発明者は、哺乳瓶の吸い口の様に飲み物を飲ませる際に口にくわえるものを利用して、高齢者の舌圧を高めることに想到する。即ち、飲み物を飲むために必然的に行う運動であれば、認知症の高齢者にも実施させやすいと考えたものである。【０００８】
このように、哺乳瓶の吸い口等を利用して高齢者の口回りの筋肉を鍛えるものとして、例えば、特許文献３の実施形態２では、高齢者の閉塞性睡眠時無呼吸症候群ＯＳＡＳや痴呆の予防、治療のために、日常の食生活の中で自然に口唇を噤む運動を反復させ、口輪筋及び舌筋を鍛錬できる口唇器具が提案されている。この特許文献３の口唇器具は、乳首（吸い口）の根元部分に切れ込みを設けた有蓋円筒状のカップを内装し、乳首の外側から口唇でこのカップを挟みつけて変形させると、該切れ込みを通して飲み物が乳首前端側に供給されるよう構成されている。
【先行技術文献】
【特許文献】
【０００９】
【特許文献１】特開２００７−３１９３０３号公報
【特許文献２】特開２０１１−１７２９９６号公報
【特許文献３】特開２００３−３０５０９５号公報
【発明の概要】
【発明が解決しようとする課題】
【００１０】
しかし、特許文献３の口唇器具では、通常の哺乳瓶の乳首より強い力を加える必要があるため、舌圧の低下した高齢者には使えないという問題がある。
本発明は、上記課題を鑑みてなされたものであり、舌圧の低下した認知症の高齢者であっても、介護者等の手を借りることなく訓練可能な嚥下機能訓練具の提供を目的とする。
【課題を解決するための手段】
【００１１】
上記課題を解決するためになされた発明は、軟質樹脂からなり、飲料容器の吸い口からなる嚥下機能訓練具であって、前端が前方へ湾出する凸湾曲面により塞がれた有蓋筒状をなすとともに前端に飲料を送出する送出孔を有して少なくとも前端側の一部が被訓練者の口蓋窩（口蓋中央の上方へ窪んだ部分。図１６参照。）に収容される口腔内挿入部と、前記口腔内挿入部の後端に連続するとともに後方に向かって横断面が徐々に拡がる筒状に設けられる基部とを備え、前記口腔内挿入部は、厚みが最小となる方向を上下方向として、上面、及び下面の横断面が凸湾曲線をなすことを特徴とする。
尚、ここで、「横断面」とは、前後方向に垂直な断面をいうものとする。また「厚み」とは、横断面を挟んで対向する当該横断面の外周面上の２点間の距離をいうものとする。      【００１２】
嚥下の際には、舌で口蓋窩を強く押圧した際の反力が、舌から舌骨、喉頭蓋へと伝達されて喉頭蓋が閉じ、嚥下の際に飲料が気管に入ることを防止する。ところが、高齢者では舌が細くなって口蓋窩に接触しなくなり、舌で口蓋窩を押圧できないため喉頭蓋が閉じなくなって誤嚥が生じる。本発明の嚥下機能訓練具は、口腔内挿入部が被訓練者の口蓋窩へ収容されるため、舌が細くなったことにより生じた口蓋窩と舌の間の空間が埋まり、口腔内挿入部を介して口蓋窩に舌圧を加えることができるため、その反作用で舌の根元に加わる力により喉頭蓋を倒して気管を塞ぐことができる。
また、軟質樹脂からなる飲料容器の吸い口であることから、認知症の高齢者であっても、これを用いて飲料を飲ませることで、嚥下機能の訓練をすることができる。また、口腔内挿入部の上面、及び下面の横断面が凸湾曲線をなすことから、厚み方向を上下方向として口にくわえると、上面のカーブが口蓋窩の窪みに沿い、下面のカーブが舌の窪みに沿うため、舌が細くなって口蓋窩と舌の間の空間を上手く埋められなくなった高齢者がこの空間を埋めることを効果的に補助することができる。【００１３】
前記口腔内挿入部は、前後方向、及び上下方向に垂直な方向の幅が前端から後方に向けて初めて２７ｍｍ以上となる部分より前端側の部分からなるとともに、前後方向の長さが４０ｍｍ以上であり、前端から１０ｍｍ以上４０ｍｍ以下の領域の全域に亘って前記幅が１０ｍｍ以上２７ｍｍ未満であることを特徴とする。
このように、口腔内挿入部の前後方向の長さを４０ｍｍ以上とすることで、当該口腔内挿入部が、口蓋窩まで十分に届いて舌と口蓋窩の間の空間を十分に埋めるため、高齢者の痩せた舌であっても、口腔内挿入部を介して口蓋窩に舌圧を加えることができ、その反作用で舌の根元に加わる力により喉頭蓋を倒して気管を塞ぐことができる。【００１４】
また、口腔内挿入部の幅を、前端から１０ｍｍ以上４０ｍｍ以下の領域の全域に渡って１０ｍｍ以上２７ｍｍ以下とすることで、舌と口蓋の間の空間を幅方向についても十分に満たすことができるため、より効果的に硬口蓋に舌圧を加えることができる。【００１５】
前記口腔内挿入部は、前後方向の長さが６０ｍｍ以下であることが好ましい。こうすることで、口腔内挿入部が軟口蓋に届かないようにして、被訓練者がえずくことを抑制できる。【００１６】
前記口腔内挿入部は、上下方向の厚みが、幅より小さいことが好ましい。こうすることで、口腔内挿入部が舌の上で安定しやすい。また、前記口腔内挿入部は、前端から１０ｍｍ以上４０ｍｍ以下の領域の全域に亘って、厚みが５ｍｍ以上２０ｍｍ以下であることが好ましい。当該領域は、厚みが５ｍｍ未満であると、被訓練者が舌を持ち上げても十分に舌圧をかけることができない虞があり、厚みが２０ｍｍを超えると、舌が押し下げられて被訓練者が不快に感じる虞がある。【００１７】
前記口腔内挿入部の先端部の側面視断面における上面の曲率は、下面の曲率より大きいことが好ましい。こうすることで、口腔内挿入部の先端が下面側に曲がりやすくなり、口腔内挿入部の上面が口蓋窩に密着しやすくできる。【００１８】
前記口腔内挿入部の前記基部との境界側における上面側と下面側に幅方向に延びる凹部からなるくびれ部を備えることが好ましい。こうすることで、くびれ部に歯を入れことができるため、当該嚥下機能訓練具をくわえたまま口を閉じやすい。【００１９】
本発明は、上記いずれかの嚥下機能訓練具と、飲料を貯留するための飲料容器とを備え、前記飲料容器は、飲料容器本体と、前記飲料容器本体を前記嚥下機能訓練具に連結する袋ナット状のキャップとを有し、前記飲料容器本体は、円板状の蓋板部、前記蓋板部から前方へ延出する扁平円筒状の雄ねじ部、及び前記蓋板部から後方へ延出する筒状のハンドルとを含み、前記キャップは、前記雄ねじ部に螺合する扁平円筒状の雌ねじ部を含み、前記蓋板部を前記嚥下機能訓練具の後端縁に当接した状態で前記キャップを前記飲料容器本体に螺合して前記飲料容器を前記嚥下機能訓練具に連結する嚥下機能訓練キットを含む。このように、蓋板部を嚥下機能訓練具の後端縁に当接するようにして飲料容器を嚥下機能訓練具に連結することで、蓋板部で嚥下機能訓練具の後端の開口を塞いで嚥下機能訓練部の内部のみに飲料を貯留することができる。【００２０】
本発明は、高齢者が嚥下機能を鍛える嚥下機能訓練方法であって、軟質性樹脂からなり、前端が前方へ湾出する凸湾曲面により塞がれた有蓋筒状をなすとともに前端に飲料を送出する送出孔を有する口腔内挿入部と、前記口腔内挿入部の後端に連続するとともに後方に向かって横断面が徐々に拡がる筒状に設けられる基部とを有する吸い口からなる嚥下機能訓練具を飲料容器に取り付け、前記口腔内挿入部の前端の少なくとも一部を口蓋窩に収容するように、かつ前記送出孔が軟口蓋に達しない程度に前記口腔内挿入部をくわえ、前記嚥下機能訓練具から飲料を飲むことにより嚥下機能を鍛える嚥下機能訓練方法を含む。【００２１】
本発明に係る嚥下機能訓練方法は、前記口腔内挿入部が、厚みが最小となる方向を上下方向として、上下方向の厚みが、前記領域の全域に亘って上下方向、及び前後方向に垂直な方向の幅より小さい嚥下機能訓練具を用いることが好ましく、さらに、前記口腔内挿入部の先端部の側面視断面における上面側の曲率が下面側の曲率より大きい嚥下機能訓練具を用いることが好ましい。【００２２】
また、本発明に係る嚥下機能訓練方法は、前記口腔内挿入部の前記基部との境界側における上面側と下面側に幅方向に延びる凹部からなるくびれ部を備える嚥下機能訓練具を用いてもよい。
【発明の効果】
【００２３】
以上説明したように、本発明の嚥下機能訓練具によれば、舌圧の低下した認知症の高齢者であっても、介護者等の手を借りることなく嚥下機能の訓練を行うことができる。
【図面の簡単な説明】
【００２４】
【図１】本発明の第１実施形態に係る嚥下機能訓練具の斜視図である。
【図２】図１の嚥下機能訓練具の正面図である。背面図は、正面図と対称に表れる。
【図３】図１の嚥下機能訓練具の右側面図である。左側面図は、右側面図と対称に表れる。
【図４】図１の嚥下機能訓練具の平面図である。
【図５】図１の嚥下機能訓練具の底面図である。
【図６】図２のＩ−Ｉ線断面図である。
【図７】図３ＩＩ−ＩＩ線断面図である。
【図８】図１の嚥下機能訓練具を用いて行う訓練方法の説明図である。
【図９】図１の嚥下機能訓練具を用いて行う訓練方法の説明図である。
【図１０】図１の嚥下機能訓練具を用いて行う訓練方法の説明図である。
【図１１】図１の嚥下機能訓練具を用いて行う訓練方法の説明図である。
【図１２】本発明の第２実施形態に係る嚥下機能訓練具の右側面図である。左側面図は右側面図と対称に表れる。
【図１３】図９の嚥下機能訓練図のＩＩＩ−ＩＩＩ線断面図である。
【図１４】本発明の第３実施形態に係る嚥下機能訓練具の（ａ）平面図、（ｂ）ＩＶ−ＩＶ線断面図（ｃ）Ｖ−Ｖ線断面図である。
【図１５】図１４に示した嚥下機能訓練具を用いた嚥下機能訓練キットを示す正面視断面図である。
【図１６】実施例１における被験者１の訓練期間と舌圧の関係を示す折線グラフである。
【図１７】実施例２における被験者２の訓練期間と舌圧の関係を示す折線グラフである。
【図１８】上顎における口蓋窩の位置を示す説明図である。
【発明を実施するための形態】
【００２５】
以下、適宜図面を用いながら本発明の実施形態について詳述する。ただし、本発明は、以下の実施形態に限定されるものではない。
（第１実施形態）
図１は、本発明の第１実施形態に係る嚥下機能訓練具１００を示す。嚥下機能訓練具１００は、軟質樹脂により一体的に形成され、有蓋筒状をなす口腔内挿入部１０と、口腔内挿入部１０の基端側に連続する基部２０とを備えている。嚥下機能訓練具１００は、図１に仮想線で示すように、飲料を貯留する飲料容器４に取り付けて用いられる。嚥下機能訓練具１００に用いられる軟質樹脂としては、適宜の弾性、及び可撓性を有するものであれば特に限定されず、シリコンゴムが好ましく用いられる他、イソプレンゴム、天然ゴム等を利用できる。
【００２６】
口腔内挿入部１０は、前端（図１の上端）が前方へ湾出する凸湾曲面からなる天蓋状をなし、該前端に飲料を送出する送出孔１１を有し、送出孔１１に飲料を供給すべく中空筒状に形成されている。送出孔１１は、図のような円形貫通孔に限らず、Ｘ字、あるいはＹ字の切れ込みであってもよい。
口腔内挿入部１０の前後方向（図２の上下方向）に垂直な横断面は、図６に示すように、上面１０ａ、及び下面１０ｂの横断面が凸湾曲線をなし、全体として厚みが幅より小さい楕円に形成されている。
また、口腔内挿入部１０は、図２に示すように、正面視で前後方向が幅方向（図１の左右方向）より長い角丸長方形をなしている。
【００２７】
図２、図３の２点鎖線１３は、嚥下機能訓練具１００において、前端１８から後方に向けて初めて幅Ｗ0が２７ｍｍ以上となる位置を示し前端から２点鎖線１３までが口腔内挿入部１０に相当する。本実施形態では、口腔内挿入部１０の前後方向（図２における上下方向）の長さＬは、４０ｍｍ以上６０ｍｍ以下に設けられている。
【００２８】
そして、２点鎖線１４は前端１８からの距離ａが１０ｍｍの位置を、２点鎖線１５は前端からの距離ｂが４０ｍｍの位置を示し、前端１８からの距離が１０ｍｍ以上４０ｍｍ以下の領域１６において、口腔内挿入部１０の幅は、図２に示すように、最小幅Ｗ1が１０ｍｍ以上に、最大幅Ｗ2が２７ｍｍ以下に設けられている。また、領域１６における口腔内挿入部１０の上下方向の厚みは、図３に示した、最小厚みＴ1が５ｍｍ以上に、最大厚みＴ2が２０ｍｍ以下に設けられている。
【００２９】
基部２０は、図２に示すように、略円錐台をなし、裾広がりの筒状に設けられ、後端に円形に開口した飲料導入口２１を有している。飲料導入口２１周縁には、フランジ部２２が設けられ、フランジ部２２の下面には、円環状の凸条からなる封止部２２ａが設けられている。フランジ部２２は、図７に示すように、厚み方向に貫通する円形孔からなる空気穴２２ｂを備えている。嚥下機能訓練具１００は、袋ナット状の固定具（キャップ）５（図１に仮想線で示す）を嵌合用部２３に嵌合し、フランジ部２２を固定することにより飲料容器４に取付けられ、封止部２２ａにより、フランジ部２２と飲料容器４の連結部を水密に封止する。
【００３０】
（嚥下機能訓練方法）
次に、図８から図１１、図１８の模式図を用いて、嚥下機能訓練具１００の使用方法、及びその作用効果について説明する。図中、符号Ａは舌を、符号Ｂは硬口蓋を、符号Ｃは舌骨を、符号Ｄは喉頭蓋を、符号Ｅは気管を、符号Ｆは軟口蓋を、符号Ｇは鼻腔と口腔の境界を、符号Ｈは食道を、符号Ｉは喉頭を、符号Ｊは食道の入り口を、符号Ｋは口蓋窩を、符号Ｌは口蓋垂を示している。
【００３１】
嚥下機能訓練具１００を用いて嚥下機能の訓練を行う際には、嚥下機能訓練を行う被訓練者に飲料容器４を手渡し、図８に示すように、嚥下機能訓練具１００の口腔内挿入部１０を、その厚み方向が上下方向となるようにして、送出孔１１が軟口蓋Ｆに達しないように、かつ口腔内挿入部１０が、最大限、口蓋窩Ｋを埋めるようにくわえる。続けて、飲料容器４の嚥下機能訓練具１００側が斜め下方向きとなるようにして、嚥下機能訓練具１００が飲料Ｘで満たされるようにする。図８は、被訓練者が口腔内挿入部１０をくわえたのち嚥下を開始する前の様子を示しており、この状態では、軟口蓋Ｆは鼻腔と口腔の境界Ｇを開放し、喉頭蓋Ｄは気管Ｅを開放している。
【００３２】
そして、被訓練者が、飲料Ｘを飲もうとして口腔内挿入部１０を吸引すると、図９に示すように、口蓋窩Ｋを口腔内挿入部１０で満たしているので、被訓練者の舌Ａが痩せて、舌Ａと口蓋窩Ｋの間の空間が広がっている場合であっても、図９に上向きの矢印で示すように、舌Ａは口腔内挿入部１０の下面１０ｂを押圧して下面１０ｂにしっかりと密着することができ、舌Ａの力を口蓋窩Ｋに伝えることができる。これにより、口蓋窩Ｋからの反力が口腔内挿入部１０により舌Ａに伝達される。舌Ａに伝達された力は、舌筋その他の筋繊維を介して伝播し、舌骨Ｃが引き上げられ、喉頭Ｉが前方へ移動し、そのため喉頭蓋Ｄが後方へ倒れる。軟口蓋Ｆは、口腔と鼻腔の境界Ｇを遮断し、飲料Ｘが鼻腔に逆流することを防止する。
【００３３】
続けて、図１０に示すように、舌Ａ全体が口腔内挿入部１０を介して口蓋窩Ｋにさらに強く密着するに至り、舌骨Ｃはさらに上方へ引き上げられ、喉頭Ｉはさらに上前方へ移動し、これにより喉頭蓋Ｄが気管Ｅを閉塞する。同時に、喉頭Ｉが前方へ移動することにより食道の入口Ｊが開き、飲料Ｘが通りやすくなる。
【００３４】
被訓練者の嚥下が終了すると、口腔内挿入部１０へ押し付けられていた舌Ａは緊張を弱め、図１１に示したように、舌骨Ｃ、喉頭Ｉは下方に下がり、それとともに喉頭蓋Ｄは上方へ、軟口蓋Ｆは前方に復帰する。すると、被訓練者の舌Ａにより押圧されて薄く変形していた口腔内挿入部１０は、弾性力によりもとの厚みに復帰し、飲料容器４から口腔内挿入部１０に飲料Ｘが追加され、被訓練者は、続けて口腔内挿入部１０を吸引することにより嚥下機能の訓練を続けることができる。
【００３５】
この舌Ａが口蓋Ｂを押し上げることに連動する一連の嚥下運動の際、口腔内挿入部１０を口蓋窩Ｋに収容することが最も重要である。舌が痩せたために、舌が口蓋窩に接しなくなった被訓練者は、嚥下を行っても舌が口蓋窩に接触しない。嚥下は、上述したように、舌で口蓋窩を押圧することの反力により生じるのであるが、舌で口蓋窩を押せなくては、この反力を得ることができないため、嚥下が行えず、さらに舌が痩せてますます嚥下機能が低下する原因となる。このように、口蓋窩を口腔内挿入部１０で埋めてやることで、舌の力を口腔内挿入部１０を介して口蓋窩に伝えて、その反力を得ることができるので、舌の痩せた高齢者に嚥下を行わせることができる。すると、舌の厚みを維持、又は回復して、嚥下機能の維持や回復を図ることができる。
【００３６】
また、口腔内挿入部１０は、前後方向の長さＬを４０ｍｍ以上とすることが好ましく、こうすることで、被訓練者が特に苦労を要することなく口蓋窩を奥まで十分に満たすことができる、舌Ａの特に痩せた高齢者であっても、口腔内挿入部１０を介して容易に舌Ａを口蓋Ｂに押し付けることができ、その反作用である口蓋Ｂが舌Ａを押し返す力により嚥下に必要な舌圧を十分に確保することができる。
また、口腔内挿入部１０の前後方向の長さＬを６０ｍｍ以下としたので、自然に、送出孔１１が軟口蓋に届かなくなり、口腔内挿入部１０が口腔の奥まで入りすぎて軟口蓋に届き被訓練者がえずいたり、送出孔１１から噴出した飲料Ｘが被訓練者の喉に当たって飲料者がむせることを抑制できる。
【００３７】
また、口腔内挿入部１０は、幅を１０ｍｍ以上としたので、舌Ａと口蓋Ｂの間の空間の左右両側に隙間が生じることを抑制でき、また、２７ｍｍ以下としたので、幅が大きすぎてかえって嚥下を妨げるというようなことがない。
【００３８】
さらに、口腔内挿入部１０は、領域１６における厚みを５ｍｍ以上としたので、被訓練者が舌を持ち上げて十分に舌圧をかけることができ、また、領域１６における厚みを２０ｍｍ以下としたので、舌が押し下げられて被訓練者が不快に感じることを抑制できる。
【００３９】
（第２実施形態）
図１２は、本発明の第２実施形態に係る嚥下機能訓練具２００の側面図を示している。嚥下機能訓練具２００は、口腔内挿入部２１０と基部２０を備える他、口腔内挿入部２１０の基部２０側の端部にくびれ部３０を備えている。
尚、第２実施形態以降の実施形態において、第１実施形態と共通する部材は、同一符号を付して説明を省略する。また、嚥下機能訓練具２００は、正面図、背面図、平面図、底面図が、第１実施形態と同様に表れるため図示を省略する。
【００４０】
くびれ部３０は、図１２に示すように、口腔内挿入部２１０の基部２０よりの端部において、口腔内挿入部２１０の幅方向（図１２の奥行方向）に延びるよう設けられた凹部からなる。くびれ部３０の横断面は図１２に示すように、扁平のトラック形をなしている。
第１実施形態同様、仮想の２点鎖線１３が、前端１８から後方に向けて初めて口腔内挿入部１０の幅が２７ｍｍ以上となる位置を示し、前端１８からくびれ部３０を跨いで２点鎖線１３までが口腔内挿入部２１０に相当する。口腔内挿入部２１０は、前端１８からの距離が１０ｍｍ以上４０ｍｍ以下となる領域（２点鎖線１４と２点鎖線１５の間の領域）２１６のうち、くびれ部３０の谷底部分で最小厚みＴ1をとり、くぼみ部３０より前端側の部分で最大厚みＴ2をとる。最小厚みＴ1は５ｍｍ以上に、最大厚みＴ2は２０ｍｍ以下に設けられている。
【００４１】
（第３実施形態）
図１４は、本発明の第３実施形態に係る嚥下機能訓練具３００である。嚥下機能訓練具３００は、軟質性樹脂からなり、送出孔１１を有する口腔内挿入部３１０と、口腔内挿入部３１０の後端に連続する基部２０と、基部２０の後端側に連続する扁平円筒状の嵌合用部２３と、嵌合用部２３の後端側に連続する円環状のフランジ部２２と、フランジ部２２の後端側に連続する扁平円筒状の飲料室３２４とを備えている。
【００４２】
口腔内挿入部３１０は、先端部の側面視断面における上面３１０ａの曲率が先端部の下面３１０ｂの曲率より大きい曲面になっている。これにより、口腔内挿入部３１０は下面３１０ｂ側に曲がりやすくなっており、口蓋窩Ｋの曲面に密着させやすい。また、これに合わせて、送出孔１１の位置は、やや下面３１０ｂ側に偏っている。飲料室３２４の後端縁には、外側に延出するリブ３２４ａが設けられている。
【００４３】
図１５は、嚥下機能訓練キット１０００を示している。嚥下機能訓練キット１０００は、第３実施形態に係る嚥下機能訓練具３００を、飲料容器３０４に取り付けたものであり、飲料容器３０４は、飲料容器本体４０と袋ナット状のキャップ５０とを有している。
【００４４】
飲料容器本体４０は、下端が開口するとともに末広がりのグリップエンド４１ａが設けられたハンドル４１と、ハンドル４１の前端側（図１５の上端側）開口を塞ぐ、ハンドル４１より外径の大きな蓋板部４２と、蓋板部４２の周縁のやや内側から前方（図１５の上方）へ延出する扁平円筒状の雄ねじ部４３とを有している。雄ねじ部４３の外面には雄ねじが設けられている。
【００４５】
キャップ５０は、雄ねじ部４３に螺合する扁平円筒状の雌ねじ部５１と嚥下機能訓練具３００の嵌合用部２３に嵌合する扁平円筒状の開口部５３と、雌ねじ部５１と開口部５３の前端（図１５の上端）縁の間を塞ぐ蓋部５２とを有している。
【００４６】
嚥下機能訓練キット１０００は、嚥下機能訓練具３００の嵌合用部２３にキャップ５０の開口部５３を嵌合させた状態で、リブ３２４ａが蓋板部４２に当接するまで雌ねじ部５１を雄ねじ部４３に螺結し、雄ねじ部４３内部の空間４４に飲料室３２４の全体を収容するよう構成されている。
【００４７】
このように、嚥下機能訓練具３００は、飲料室３２４を蓋板部４２で閉塞するようにしたので、嚥下機能訓練具３００の内部のみに飲料が貯留されることとなる。これにより、飲料容器に誤って飲料を多量に入れることにより、被訓練者が飲料を飲み過ぎて誤嚥を起こす事故を抑制できる。また、送出孔１１側を下に向けても、送出孔１１にかかる圧が抑制されるため、飲料の過量の送出を抑制できる。
【実施例】
【００４８】
次に、本発明に係る実施例について詳述する。
（実施例１）
８０歳代、要介護度４の男性を被験者１とした。
嚥下機能訓練具は、シリコンゴムにより、前端から幅が初めて２７ｍｍとなる位置までの口腔内挿入部３１０の長さを４７ｍｍ、前端から１０ｍｍ以上４０ｍｍ以下の領域の厚みを５ｍｍ以上２０ｍｍ以下に形成し、その他の寸法を、図１４に示した寸法（単位はｍｍ）に形成した嚥下機能訓練具３００を用いた。嚥下機能訓練具３００の飲料室３２４に水３０ｃｃを入れ、これを飲料容器３０４に取り付けて嚥下機能訓練キット１０００とし、口腔内挿入部３１０が概ね被験者１の口蓋窩Ｋを埋めるように、かつ送出孔１１が軟口蓋Ｆには達しない程度に、口腔内挿入部３１０を口に含ませるようにして、被験者１に毎食後５乃至１０分程度かけて３０ｃｃ全量を摂取させた。
試験開始から１週間毎に、株式会社ジェイ・エム・エス社製の舌圧測定器を用いて、舌圧プローブのバルーンを口蓋窩に収め、舌と口蓋の間でパルーンを押し潰すようにしてそのときの圧力を最大舌圧として測定した。
その結果を図１６に示す。【００４９】
（実施例２）
９０歳代の女性を被験者２とし、実施例１と同様にして試験を行った。
その結果を図１７に示す。【００５０】
表１、表２に示すように、訓練開始１週間後の舌圧が、それぞれ６ｋＰａ、１６ｋＰａであったが、被験者１、被験者２とも、週を追うごとに舌圧を回復し、試験開始９週間後までには、両被験者とも舌圧が２０ｋＰａを越えた。これにより、本発明に係る嚥下機能訓練具および嚥下機能訓練方法が嚥下機能の回復に大変効果的であることがわかった。【００５１】
本発明の嚥下機能訓練具は、上記の実施形態に限らず、例えば、基部は、後方に横断面が広がる中空筒状であれば、公知の形状を適宜に用いることができる。また、口腔内挿入部は、横断面の上縁、及び下縁が凸湾曲線をなしていればよく、横断面が楕円のものに限らず、円形であってもよいし、上面と下面を非対称とする等、公知の形状を適宜に採用できる。また、嚥下機能訓練具の飲料容器との連結は、フランジ部と袋ナット状のキャップに限らず、他の公知の方式により連結することができる。
【符号の説明】
【００５２】
嚥下機能訓練具１００，２００，３００
嚥下機能訓練キット１０００
飲料容器４，３０４
送出孔１１
口腔内挿入部１０，２１０，３１０
上面１０ａ，２１０ａ，３１０ａ
下面１０ｂ，２１０ｂ，３１０ｂ
基部２０
くびれ部３０
飲料容器本体４０
ハンドル４１
蓋板部４２
雄ねじ部４３
キャップ５０
雌ねじ部５１
【図１】
2018047509.tif 000003
【図２】
2018047509.tif 000004
【図３】
2018047509.tif 000005
【図４】
2018047509.tif 000006
【図５】
2018047509.tif 000007
【図６】
2018047509.tif 000008
【図７】
2018047509.tif 000009
【図８】
2018047509.tif 000010
【図９】
2018047509.tif 000011
【図１０】
2018047509.tif 000012
【図１１】
2018047509.tif 000013
【図１２】
2018047509.tif 000014
【図１３】
2018047509.tif 000015
【図１４】
2018047509.tif 000016
【図１５】
2018047509.tif 000017
【図１６】
2018047509.tif 000018
【図１７】
2018047509.tif 000019
【図１８】
2018047509.tif 000020
【手続補正書】
【提出日】平成30年1月11日(2018.1.11)
【手続補正１】
【補正対象書類名】特許請求の範囲
【補正対象項目名】全文
【補正方法】変更
【補正の内容】
【特許請求の範囲】
【請求項１】
軟質樹脂からなり、飲料容器の吸い口からなる嚥下機能訓練具であって、
前端が前方へ湾出する凸湾曲面により塞がれた有蓋筒状をなすとともに前端に飲料を送出する送出孔を有して被訓練者の口蓋窩の奥まで収容可能な口腔内挿入部と、
前記口腔内挿入部の後端に連続するとともに後方に向かって横断面が徐々に拡がる筒状に設けられる基部とを備え、
前記口腔内挿入部は、厚みが最小となる方向を上下方向として、上面、及び下面の横断面が凸湾曲線をなしており、
前記口腔内挿入部は、前後方向、及び上下方向に垂直な方向の幅が前端から後方に向けて初めて２７ｍｍ以上となる部分より前端側の部分からなるとともに、前後方向の長さが４０ｍｍ以上であることを特徴とする嚥下機能訓練具。
【請求項２】
前記口腔内挿入部は、前端から１０ｍｍ以上４０ｍｍ以下の領域の全域に亘って前記幅が１０ｍｍ以上２７ｍｍ未満であることを特徴とする請求項１に記載の嚥下機能訓練具。
【請求項３】
前記口腔内挿入部は、前後方向の長さが６０ｍｍ以下である請求項１、又は請求項２に記載の嚥下機能訓練具。
【請求項４】
前記口腔内挿入部は、上下方向の厚みが、幅より小さい請求項１から請求項３のいずれか１項に記載の嚥下機能訓練具。
【請求項５】
前記口腔内挿入部は、前端から１０ｍｍ以上４０ｍｍ以下の領域の全域に亘って厚みが５ｍｍ以上２０ｍｍ以下である請求項４に記載の嚥下機能訓練具。
【請求項６】
軟質樹脂からなり、飲料容器の吸い口からなる嚥下機能訓練具であって、
前端が前方へ湾出する凸湾曲面により塞がれた有蓋筒状をなすとともに前端に飲料を送出する送出孔を有して少なくとも前端側の一部が被訓練者の口蓋窩に収容される口腔内挿入部と、
前記口腔内挿入部の後端に連続するとともに後方に向かって横断面が徐々に拡がる筒状に設けられる基部とを備え、
前記口腔内挿入部は、厚みが最小となる方向を上下方向として、上面、及び下面の横断面が凸湾曲線をなし、
前記口腔内挿入部の先端部の側面視断面における上面側の曲率が下面側の曲率より大きく、
前記送出孔の位置が、下面側に偏っていることを特徴とする嚥下機能訓練具。
【請求項７】
前記口腔内挿入部の前記基部との境界側における上面側と下面側に幅方向に延びる凹部からなるくびれ部を備える請求項１から請求項６のいずれか１項に記載の嚥下機能訓練具。
【請求項８】
軟質樹脂からなり、飲料容器の吸い口からなる嚥下機能訓練具と、
飲料を貯留するための飲料容器と
を備え、
前記嚥下機能訓練具は、前端が前方へ湾出する凸湾曲面により塞がれた有蓋筒状をなすとともに前端に飲料を送出する送出孔を有して少なくとも前端側の一部が被訓練者の口蓋窩に収容される口腔内挿入部と、前記口腔内挿入部の後端に連続するとともに後方に向かって横断面が徐々に拡がる筒状に設けられる基部とを有し、
前記口腔内挿入部は、厚みが最小となる方向を上下方向として、上面、及び下面の横断面が凸湾曲線をなしており、
前記飲料容器は、飲料容器本体と、前記飲料容器本体を前記嚥下機能訓練具に連結する袋ナット状のキャップとを有し、
前記飲料容器本体は、円板状の蓋板部、前記蓋板部から前方へ延出する扁平円筒状の雄ねじ部、及び前記蓋板部から後方へ延出する筒状のハンドルとを含み、
前記キャップは、前記雄ねじ部に螺合する扁平円筒状の雌ねじ部を含み、
前記蓋板部を前記嚥下機能訓練具の後端縁に当接した状態で前記キャップを前記飲料容器本体に螺合して前記飲料容器を前記嚥下機能訓練具に連結する嚥下機能訓練キット。
【請求項９】
高齢者が嚥下機能を鍛える嚥下機能訓練方法であって、
軟質性樹脂からなり、前端が前方へ湾出する凸湾曲面により塞がれた有蓋筒状をなすとともに前端に飲料を送出する送出孔を有する口腔内挿入部と、前記口腔内挿入部の後端に連続するとともに後方に向かって横断面が徐々に拡がる筒状に設けられる基部とを有する吸い口からなる嚥下機能訓練具を飲料容器に取り付け、
前記口腔内挿入部が、前記口蓋窩を奥まで満たすように、かつ、前記送出孔が軟口蓋に達しない程度に前記口腔内挿入部をくわえ、
前記口腔内挿入部を舌で口蓋窩に押付ける動作により喉頭蓋で気管を塞いだ状態で、
前記嚥下機能訓練具から飲料を飲むことにより嚥下機能を鍛える嚥下機能訓練方法。
【請求項１０】
前記口腔内挿入部は、厚みが最小となる方向を上下方向として、上下方向の厚みが、前記領域の全域に亘って幅より小さい嚥下機能訓練具を用いる請求項９に記載の嚥下機能訓練方法。
【請求項１１】
前記口腔内挿入部の先端部の側面視断面における上面側の曲率が下面側の曲率より大きい嚥下機能訓練具を用いる請求項１０に記載の嚥下機能訓練具。
【請求項１２】
前記口腔内挿入部の前記基部との境界側における上面側と下面側に幅方向に延びる凹部からなるくびれ部を備える嚥下機能訓練具を用いる請求項９から請求項１１のいずれか１項に記載の嚥下機能訓練方法。
【手続補正２】
【補正対象書類名】明細書
【補正対象項目名】００１１
【補正方法】変更
【補正の内容】
【００１１】
上記課題を解決するためになされた発明は、軟質樹脂からなり、飲料容器の吸い口からなる嚥下機能訓練具であって、前端が前方へ湾出する凸湾曲面により塞がれた有蓋筒状をなすとともに前端に飲料を送出する送出孔を有して被訓練者の口蓋窩の奥まで収容可能な口腔内挿入部と、前記口腔内挿入部の後端に連続するとともに後方に向かって横断面が徐々に拡がる筒状に設けられる基部とを備え、前記口腔内挿入部は、厚みが最小となる方向を上下方向として、上面、及び下面の横断面が凸湾曲線をなしており、前記口腔内挿入部は、前後方向、及び上下方向に垂直な方向の幅が前端から後方に向けて初めて２７ｍｍ以上となる部分より前端側の部分からなるとともに、前後方向の長さが４０ｍｍ以上であることを特徴とする。
尚、ここで、「横断面」とは、前後方向に垂直な断面をいうものとする。
また「厚み」とは、横断面を挟んで対向する当該横断面の外周面上の２点間の距離をいうものとする。
【手続補正３】
【補正対象書類名】明細書
【補正対象項目名】００１３
【補正方法】変更
【補正の内容】
【００１３】
そして、本発明は、口腔内挿入部の前後方向の長さを４０ｍｍ以上とすることで、当該口腔内挿入部が、口蓋窩まで十分に届いて舌と口蓋窩の間の空間を十分に埋めるため、高齢者の痩せた舌であっても、口腔内挿入部を介して口蓋窩に舌圧を加えることができ、その反作用で舌の根元に加わる力により喉頭蓋を倒して気管を塞ぐことができる。
【手続補正４】
【補正対象書類名】明細書
【補正対象項目名】００１４
【補正方法】変更
【補正の内容】
【００１４】
前記口腔内挿入部は、前端から１０ｍｍ以上４０ｍｍ以下の領域の全域に亘って前記幅が１０ｍｍ以上２７ｍｍ未満とすることが好ましい。こうすることで、舌と口蓋の間の空間を幅方向についても十分に満たすことができるため、より効果的に硬口蓋に舌圧を加えることができる。
【手続補正５】
【補正対象書類名】明細書
【補正対象項目名】００１７
【補正方法】変更
【補正の内容】
【００１７】
本発明は、軟質樹脂からなり、飲料容器の吸い口からなる嚥下機能訓練具であって、前端が前方へ湾出する凸湾曲面により塞がれた有蓋筒状をなすとともに前端に飲料を送出する送出孔を有して少なくとも前端側の一部が被訓練者の口蓋窩に収容される口腔内挿入部と、前記口腔内挿入部の後端に連続するとともに後方に向かって横断面が徐々に拡がる筒状に設けられる基部とを備え、前記口腔内挿入部は、厚みが最小となる方向を上下方向として、上面、及び下面の横断面が凸湾曲線をなし、前記口腔内挿入部の先端部の側面視断面における上面側の曲率が下面側の曲率より大きく、前記送出孔の位置が、下面側に偏っていることを特徴とする嚥下機能訓練具を含む。口腔内挿入部の先端部の側面視断面における上面の曲率を、下面の曲率より大きくすることで、口腔内挿入部の先端が下面側に曲がりやすくなり、口腔内挿入部の上面が口蓋窩に密着しやすくできる。
【手続補正６】
【補正対象書類名】明細書
【補正対象項目名】００１９
【補正方法】変更
【補正の内容】
【００１９】
本発明は、軟質樹脂からなり、飲料容器の吸い口からなる嚥下機能訓練具と、飲料を貯留するための飲料容器とを備え、前記嚥下機能訓練具は、前端が前方へ湾出する凸湾曲面により塞がれた有蓋筒状をなすとともに前端に飲料を送出する送出孔を有して少なくとも前端側の一部が被訓練者の口蓋窩に収容される口腔内挿入部と、前記口腔内挿入部の後端に連続するとともに後方に向かって横断面が徐々に拡がる筒状に設けられる基部とを有し、前記口腔内挿入部は、厚みが最小となる方向を上下方向として、上面、及び下面の横断面が凸湾曲線をなしており、前記飲料容器は、飲料容器本体と、前記飲料容器本体を前記嚥下機能訓練具に連結する袋ナット状のキャップとを有し、前記飲料容器本体は、円板状の蓋板部、前記蓋板部から前方へ延出する扁平円筒状の雄ねじ部、及び前記蓋板部から後方へ延出する筒状のハンドルとを含み、前記キャップは、前記雄ねじ部に螺合する扁平円筒状の雌ねじ部を含み、前記蓋板部を前記嚥下機能訓練具の後端縁に当接した状態で前記キャップを前記飲料容器本体に螺合して前記飲料容器を前記嚥下機能訓練具に連結する嚥下機能訓練キットを含む。このように、蓋板部を嚥下機能訓練具の後端縁に当接するようにして飲料容器を嚥下機能訓練具に連結することで、蓋板部で嚥下機能訓練具の後端の開口を塞いで嚥下機能訓練部の内部のみに飲料を貯留することができる。
【手続補正７】
【補正対象書類名】明細書
【補正対象項目名】００２０
【補正方法】変更
【補正の内容】
【００２０】
本発明は、高齢者が嚥下機能を鍛える嚥下機能訓練方法であって、軟質性樹脂からなり、前端が前方へ湾出する凸湾曲面により塞がれた有蓋筒状をなすとともに前端に飲料を送出する送出孔を有する口腔内挿入部と、前記口腔内挿入部の後端に連続するとともに後方に向かって横断面が徐々に拡がる筒状に設けられる基部とを有する吸い口からなる嚥下機能訓練具を飲料容器に取り付け、前記口腔内挿入部が、前記口蓋窩を奥まで満たすように、かつ、前記送出孔が軟口蓋に達しない程度に前記口腔内挿入部をくわえ、前記口腔内挿入部を舌で口蓋窩に押付ける動作により喉頭蓋で気管を塞いだ状態で、前記嚥下機能訓練具から飲料を飲むことにより嚥下機能を鍛える嚥下機能訓練方法を含む。
【手続補正書】
【提出日】平成30年3月22日(2018.3.22)
【手続補正１】
【補正対象書類名】特許請求の範囲
【補正対象項目名】全文
【補正方法】変更
【補正の内容】
【特許請求の範囲】
【請求項１】
軟質樹脂からなり、飲料容器の吸い口からなる嚥下機能訓練具であって、
前端が前方へ湾出する凸湾曲面により塞がれた有蓋筒状をなすとともに前端に飲料を送出する送出孔を有して被訓練者の口蓋窩の奥まで収容可能な口腔内挿入部と、
前記口腔内挿入部の後端に連続するとともに後方に向かって横断面が徐々に拡がる筒状に設けられる基部とを備え、
前記口腔内挿入部は、厚みが最小となる方向を上下方向として、上面、及び下面の横断面が凸湾曲線をなしており、
前記口腔内挿入部は、前後方向、及び上下方向に垂直な方向の幅が前端から後方に向けて初めて２７ｍｍ以上となる部分より前端側の部分からなるとともに、前後方向の長さが４０ｍｍ以上であることを特徴とする嚥下機能訓練具。
【請求項２】
前記口腔内挿入部は、前端から１０ｍｍ以上４０ｍｍ以下の領域の全域に亘って前記幅が１０ｍｍ以上２７ｍｍ未満であることを特徴とする請求項１に記載の嚥下機能訓練具。
【請求項３】
前記口腔内挿入部は、前後方向の長さが６０ｍｍ以下である請求項１、又は請求項２に記載の嚥下機能訓練具。
【請求項４】
前記口腔内挿入部は、上下方向の厚みが、幅より小さい請求項１から請求項３のいずれか１項に記載の嚥下機能訓練具。
【請求項５】
前記口腔内挿入部は、前端から１０ｍｍ以上４０ｍｍ以下の領域の全域に亘って厚みが５ｍｍ以上２０ｍｍ以下である請求項４に記載の嚥下機能訓練具。
【請求項６】
軟質樹脂からなり、飲料容器の吸い口からなる嚥下機能訓練具であって、
前端が前方へ湾出する凸湾曲面により塞がれた有蓋筒状をなすとともに前端に飲料を送出する送出孔を有して少なくとも前端側の一部が被訓練者の口蓋窩に収容される口腔内挿入部と、
前記口腔内挿入部の後端に連続するとともに後方に向かって横断面が徐々に拡がる筒状に設けられる基部とを備え、
前記口腔内挿入部は、厚みが最小となる方向を上下方向として、上面、及び下面の横断面が凸湾曲線をなし、
前記口腔内挿入部の先端部の側面視断面における上面側の曲率が下面側の曲率より大きく、
前記送出孔の位置が、下面側に偏っていることを特徴とする嚥下機能訓練具。
【請求項７】
前記口腔内挿入部の前記基部との境界側における上面側と下面側に幅方向に延びる凹部からなるくびれ部を備える請求項１から請求項６のいずれか１項に記載の嚥下機能訓練具。
【請求項８】
軟質樹脂からなり、飲料容器の吸い口からなる嚥下機能訓練具と、
飲料を貯留するための飲料容器と
を備え、
前記嚥下機能訓練具は、前端が前方へ湾出する凸湾曲面により塞がれた有蓋筒状をなすとともに前端に飲料を送出する送出孔を有して少なくとも前端側の一部が被訓練者の口蓋窩に収容される口腔内挿入部と、前記口腔内挿入部の後端に連続するとともに後方に向かって横断面が徐々に拡がる筒状に設けられる基部とを有し、
前記口腔内挿入部は、厚みが最小となる方向を上下方向として、上面、及び下面の横断面が凸湾曲線をなしており、
前記飲料容器は、飲料容器本体と、前記飲料容器本体を前記嚥下機能訓練具に連結する袋ナット状のキャップとを有し、
前記飲料容器本体は、円板状の蓋板部、前記蓋板部から前方へ延出する扁平円筒状の雄ねじ部、及び前記蓋板部から後方へ延出する筒状のハンドルとを含み、
前記キャップは、前記雄ねじ部に螺合する扁平円筒状の雌ねじ部を含み、
前記蓋板部を前記嚥下機能訓練具の後端縁に当接した状態で前記キャップを前記飲料容器本体に螺合して前記飲料容器を前記嚥下機能訓練具に連結する嚥下機能訓練キット。
【手続補正２】
【補正対象書類名】明細書
【補正対象項目名】００２０
【補正方法】変更
【補正の内容】
【００２０】
本発明に係る嚥下機能訓練具は、高齢者が嚥下機能を鍛える嚥下機能訓練方法であって、軟質性樹脂からなり、前端が前方へ湾出する凸湾曲面により塞がれた有蓋筒状をなすとともに前端に飲料を送出する送出孔を有する口腔内挿入部と、前記口腔内挿入部の後端に連続するとともに後方に向かって横断面が徐々に拡がる筒状に設けられる基部とを有する吸い口からなる嚥下機能訓練具を飲料容器に取り付け、前記口腔内挿入部が、前記口蓋窩を奥まで満たすように、かつ、前記送出孔が軟口蓋に達しない程度に前記口腔内挿入部をくわえ、前記口腔内挿入部を舌で口蓋窩に押付ける動作により喉頭蓋で気管を塞いだ状態で、前記嚥下機能訓練具から飲料を飲むことにより嚥下機能を鍛える嚥下機能訓練方法に用いる。
【手続補正３】
【補正対象書類名】明細書
【補正対象項目名】００２１
【補正方法】変更
【補正の内容】
【００２１】
上述した嚥下機能訓練方法は、前記口腔内挿入部が、厚みが最小となる方向を上下方向として、上下方向の厚みが、前記領域の全域に亘って上下方向、及び前後方向に垂直な方向の幅より小さい嚥下機能訓練具を用いることが好ましく、さらに、前記口腔内挿入部の先端部の側面視断面における上面側の曲率が下面側の曲率より大きい嚥下機能訓練具を用いることが好ましい。
【手続補正４】
【補正対象書類名】明細書
【補正対象項目名】００２２
【補正方法】変更
【補正の内容】
【００２２】
また、上述した嚥下機能訓練方法は、前記口腔内挿入部の前記基部との境界側における上面側と下面側に幅方向に延びる凹部からなるくびれ部を備える嚥下機能訓練具を用いてもよい。
【国際調査報告】
2018047509.tif 000021
2018047509.tif 000022